(57)【要約】【目的】ヘルメットを収納する大容量の収納部を小型化する。【構成】シート１５の下方及び後輪２の上方に配置される収納部１６の底部３０に底部開口３１を設け、ここから収納部１６内へ収納したヘルメット３２の頭頂部３３を下方へ突出させる。底部開口３１には伸縮自在の弾性材料からなるカバー部材３５を取付け、ヘルメット３２の頭頂部３３を突出させるときは伸ばし、ヘルメットを取り出したときは収縮して底部開口３１を覆う。このようにすると、頭頂部３３の分だけ、収納部１６内におけるヘルメット３２を収容するために要求される容量を減少させることができるから、それだけ収納部１６を小型化できる。【選択図】図２
2010235078.tif 000002
【特許請求の範囲】
【請求項１】
ライダーが着座するシートと、このシートの下方に配置され、上方へ開口してフタ部材により開閉されるとともにヘルメットを収納可能とする収納部と、
この収納部の下方に位置し、後輪を含み車体フレームへ揺動自在に支持されているスイング部材とを備えたヘルメット収納構造において、
前記収納部の底部にヘルメットの一部が突出する底部開口を設け、
ヘルメットを収納部へ収納したとき、ヘルメットの一部を前記底部開口から下方へ突出させることを特徴とするヘルメット収納構造。
【請求項２】
前記収納部から下方へ突出するヘルメットの一部が、前記スイング部材の可動範囲内に位置することを特徴とする請求項１に記載したヘルメット収納構造。
【請求項３】
前記底部開口は、伸縮性を有するカバー部材で覆うことを特徴とする請求項１又は２に記載したヘルメット収納構造。
【請求項４】
前記フタ部材は、前記シート又は車体後部を覆うリヤカバーであることを特徴とする請求項１〜３のいずれかに記載したヘルメット収納構造。
【請求項５】
前記フタ部材は、前記シートであり、シートロックにて車体へロックされることを特徴とする請求項１〜３のいずれかに記載したヘルメット収納構造。
【発明の詳細な説明】
【技術分野】
【０００１】
この発明は、自動２輪車に好適なヘルメット収納構造に係り、特に、ヘルメットを収納する大容量の収納部を小型化できるものに関する。
【背景技術】
【０００２】
ライダーの着座するシートと、その下方で上下方向へ揺動自在に車体へ支持された後輪との間に上方へ開口する有底の収納部を設け、この収納部内へヘルメットを収納し、開口をシートで開閉するようにしたヘルメット収納構造は公知である（一例として、特許文献１参照）。
【先行技術文献】
【特許文献】
【０００３】
【特許文献１】特開平１−１６１８９０号公報
【発明の概要】
【発明が解決しようとする課題】
【０００４】
上記構造の場合、収納部はヘルメットを収納することに見合った容量を必要とする。このため、車体の大型化やシート高の上昇等を招く場合があって、また、シート高の上昇を避けるには、後輪を小径のものに変更する必要があり、後輪の大型化に制限を生じる場合があった。
本願はこのような点に着目して、収納部の小型化を実現するものである。
【課題を解決するための手段】
【０００５】
上記課題を解決するためヘルメット収納構造に係る請求項１に記載した発明は、ライダーが着座するシートと、このシートの下方に配置され、上方へ開口してフタ部材により開閉されるとともにヘルメットを収納可能とする収納部と、
この収納部の下方に位置し、後輪を含み車体フレームへ揺動自在に支持されているスイング部材とを備えたにおいて、
前記収納部の底部にヘルメットの一部が突出する底部開口を設け、
ヘルメットを収納部へ収納したとき、ヘルメットの一部を前記底部開口から下方へ突出させることを特徴とする。
請求項２に記載した発明は上記請求項１において、前記収納部から下方へ突出するヘルメットの一部が、前記スイング部材の可動範囲内に位置することを特徴とする。
請求項３に記載した発明は上記請求項１又は２において、前記底部開口は、伸縮性を有するカバー部材で覆うことを特徴とする。
請求項４に記載した発明は上記請求項１〜３のいずれかにおいて、前記フタ部材は、前記シート又は車体後部を覆うリヤカバーであることを特徴とする。
請求項５に記載した発明は上記請求項１〜３のいずれかにおいて、前記フタ部材は、前記シートであり、シートロックにて車体へロックされることを特徴とする。
【発明の効果】
【０００６】
請求項１に記載した発明によれば、ヘルメットの一部を収納部の底部から下方へ突出させるので、収納部内に占有するヘルメットの容量を少なくすることができ、その分だけ収納部の容量を増大させることができるので、ヘルメットを収納できるだけの大容量を確保しつつも、全体を小型化することができる。
請求項２に記載した発明によれば、非走行時にヘルメットを収納部へ収納したとき、その一部がスイング部材の可動範囲内に位置するまで突出できるので、収納ボックスをより小さくすることができ、タイヤ径とシート高の両立が可能となる。
請求項３に記載した発明によれば、収納部から下方へ突出するヘルメットの一部を収納部の外側から覆う伸縮性のあるカバー部材を設けたので、収納部の底部に形成された底部開口をカバー部材で覆うことができる。このため、カバー部材がリヤフェンダの一部としても機能でき、しかも底部開口から泥や水が収納部内へ侵入することを阻止できる。
請求項４に記載した発明によれば、収納部の上方へ開口する開口部をシート又はリヤカバーで開閉自在に覆うので、収納部の開口部に対するフタ部材としてシート又はリヤカバーを利用できる。
請求項５に記載した発明によれば、フタ部材をシートとしたとき、シートはシートロックにより車体へロックされるので、収納部を確実に閉じることができ、ヘルメットの有効な盗難防止構造になる。またヘルメットを収納している状態では走行不能であることが外観から見て取れるため、車両自体の盗難防止にも効果的である。
【図面の簡単な説明】
【０００７】
【図１】本願発明の適用された自動２輪車の外観側面図
【図２】収納部１６部分を拡大した側面図
【図３】収納部１６の斜視図
【図４】図２の４−４線断面図
【発明を実施するための最良の形態】
【０００８】
以下、図面に基づいて一実施形態を説明する。図１は本願発明の適用された自動２輪車の外観側面図であり、前輪１と後輪２の間にエンジン３が配置され、車体フレーム４にて支持されている。
【０００９】
車体フレーム４はその前端部に設けられたヘッドパイプ５と、このヘッドパイプ５からエンジン３の上方を前後方向へ配置されたメインフレーム６と、メインフレーム６の後部から下方へ屈曲してエンジン３の後方を上下方向へ配置されるセンターフレーム７と、ヘッドパイプ５からエンジン３の前方を斜め下さがりに配置されるダウンフレーム８と、ダウンフレーム８の下部から屈曲してエンジン３の下方を前後方向へ配置され、センターフレーム７の下端部を連結されるロアフレーム９と、センターフレーム７の上部から後輪２の上方まで延出するシートレール１０と、ロアフレーム９の後端部から斜め上がりに後方へ延びるリヤステイ１１とを備え、リヤステイ１１は、中間部にセンターフレーム７の下端が結合し、上端部はシートレール１０の前後方向中間部へ連結している。
【００１０】
ヘッドパイプ５には下端部に前輪１を支持するフロントフォーク１２が回動自在に支持され、ハンドル１３にて操舵される。メインフレーム６には燃料タンク１４が支持され、この燃料タンク１４後方にはシートレール１０上にシート１５が支持される。本実施形態では、二人乗り用として構成されている。
【００１１】
シート１５の下方には収納部１６が配置され、シートレール１０及びリヤステイ１１に支持されている。符号１７はエアクリーナ、１８はリヤカバーである。リヤカバー１８は車体カバーの一部としてシート１５下方かつ後輪２上方の車体後部を覆う。
【００１２】
後輪２はリヤスイングアーム２０の後端に支持されている。リヤスイングアーム２０の前端は、センターフレーム７，ロアフレーム９及びリヤステイ１１にかけて設けられたピボットプレート２１へ上下方向揺動自在に支持されている。リヤスイングアーム２０の後端とシートレール１０及びリヤステイ１１の結合部間にリヤクッションユニット２２が設けられている。
【００１３】
２３はチェーンであり、エンジン３の出力スプロケット２４と後輪２のドリブンスプロケット２５間に巻き掛けられ、エンジン３により後輪２をチェーン駆動する。
２６はチェーンカバー、２７は後輪２と一体に揺動する可動リヤフェンダであり、これらはリヤスイングアーム２０に支持されている。リヤスイングアーム２０，後輪２、チェーンカバー２６及び可動リヤフェンダ２７は一体に揺動する部材であり、本願のスイング部材に相当する。このスイング部材とシート１５の間に収納部１６が位置することになる。
【００１４】
図２は収納部１６部分を拡大した側断面図である。収納部１６は上方へ開放された開口を有し、この開口はシート１５により開閉自在に覆われる。シート１５はシートレール１０に対して回動自在に支持され、本願発明における収納部１６のフタ部材に相当し、閉じたときシートレール１０に対してシートロック（図示省略）によりロックされ、解錠しない限りシート１５を開くことができず、収納部１６の内容物を保護している。
【００１５】
収納部１６の底部３０は固定側のリヤフェンダを兼ね、上方へ湾曲して後輪２の上部を逃げるようになっており、その後部には底部開口３１が開口し、ここから収納部１６内へ収納されたヘルメット３２の一部である頭頂部３３が下方へ突出している。底部開口３１の大きさはヘルメット３２の周囲サイズのうち最大となる後頭部３４におけるサイズよりも小さくされ、ヘルメット３２が底部開口３１から下方へ抜け落ちずに頭頂部３３を突出した状態で底部開口３１の周囲により支持される大きさとなっている。
【００１６】
ヘルメット３２は上下を反転して逆さにした状態で収納部１６内へ収納され、底部３０から下方へ突出して収納部１６の外部へ出ている部分である頭頂部３３を除く部分は収納部１６内へ収容されている。この状態で上方に位置するヘルメットの下部、すなわち装着時に頭部を入れるための開口が位置する部分は、収納部１６の上端部に位置して、シート１５の底部で押さえつけられる。このため、ヘルメットが収納部１６内で動かないように固定される。また、シート１５を車体フレームへロックすることにより、収納部１６内のヘルメット３２に対する盗難防止構造となる。
【００１７】
収納部１６は大型部品であるヘルメット３２を収容するにもかかわらず、外部へ突出する頭頂部３３の分だけ容量を削減できる。このため、底部３０から上部の開口までの高さをヘルメットと３２の収納部１６内における部分の高さ程度にまで下げることができ、それだけ収納部１６を小型化できるとともに、シート１５の位置を下げることができるので、シート高を低くすることができる。また、シート１５を下げる必要がなければ、底部３０を上方へ上げることができ、この場合には後輪２をより大径にすることが可能になる。
【００１８】
底部開口３１は収納部１６の下方からカバー部材３５で覆われる。このカバー部材３５は、ゴム等の伸縮性に富む弾性部材からなり、周囲をリベット等の適宜な取付部材３６により底部３０へ取付けられる。なお、カバー部材３５を収納部１６へ固定するための取付手段はリベット以外にも締結・接着等適宜可能である。ヘルメット３２の頭頂部３３を底部開口３１へ嵌合して下方へ突出させると、カバー部材３５は頭頂部３３に押されて伸張し、下方へ延びて、頭頂部３３が底部３０から下方へ突出することを許容する。
【００１９】
また、カバー部材３５は、ヘルメット３２を収納部１６内から取り出すと収縮して復元し、底部開口３１を覆い、後輪２から跳ね上げられる泥や水等が底部開口３１内へ侵入することを阻止する。そのうえ、底部３０の一部となるので固定側のリヤフェンダとしても機能することができる。
【００２０】
なお、カバー部材３５は底部３０の一部を可動にして頭頂部３３を突出させるための一手段であり、必ずしもカバー部材３５である必要はない。またこのような可動部を設けず、単に底部開口３１を設けるだけでも収納部１６の小型化には十分に目的を達成できる。
【００２１】
ヘルメット３２の収納状態では、底部開口３１から下方へ突出した頭頂部３３は、後輪２や可動リヤフェンダ２７等のスイング部材が上下方向へ揺動する可動範囲内に位置し、頭頂部３３がスイング部材と干渉してスイング部材の揺動に対して障害をなすようになっている。図の仮想線Ｌ１はライダーが着座する前の空車状態でかつ静止した状態（ＩＧ状態）における可動リヤフェンダ２７の通常位置であり、ほぼ頭頂部３３と接して干渉する程度の位置になっている。Ｌ２は最も上方へ揺動したときの可動リヤフェンダ２７の位置であり、この状態では頭頂部３３と重なって完全に干渉している。
【００２２】
このように、頭頂部３３へ最も近いスイング部材である可動リヤフェンダ２７が頭頂部３３に非常に近いのでヘルメットを取り出さなければ走行ができないということが容易に見てとることができる。
【００２３】
なお、Ｌ２は必ずしも可動リヤフェンダ２７でなくともよく、可動リヤフェンダ２７がない車両の場合は後輪２自体の輪郭線とすることができる。また、これら後輪２や可動リヤフェンダ２７以外でも、最も頭頂部３３に近い位置に配置されるものがあれば、Ｌ２を規定するスイング部材とすることができる。
【００２４】
図３は収納部１６の斜視図である。収納部１６は樹脂等の適宜材料からなり、底部３０のほぼ中央部に底部開口３１が形成されている。収納部１６は底部３０の周囲が連続して周壁をなす前壁３７、左右の側壁３８及び後壁３９で囲まれている。これらの周壁の上端がシートに臨み、ヘルメット等の物品を出入するための開口をなしている。
【００２５】
図４は図２の４−４線断面図であり、底部開口３１は後輪２の上方に形成され、頭頂部３３は車体中心線Ｃ上に位置している。底部３０及びカバー部材３５は可動リヤフェンダ２７よりも左右方向へ張り出し、後輪２及び可動リヤフェンダ２７の上方を幅広く覆う固定側のリヤフェンダをなしている。
但し、可動リヤフェンダ２７が設けられており、かつ可動リヤフェンダ２７によって後輪２の跳ね上げる泥や水に対して底部開口３１を十分に覆うことができる場合には、カバー部材３５は省略してもよい。また、底部開口３１を樹脂のリッド等で塞げば、通常の収納ボックスとして利用することが可能となる。
【００２６】
なお、本願発明は上記実施形態に限定されるものではなく、発明の原理内において種々に変形や応用が可能である。例えば、フタ部材はシート１５に限らず、リヤカバー１８に代えてもよい。特に、シート１５がシングルシートの場合、その後方をリヤカバー１８で覆うことになるので、この部分を開閉自在のフタ部材として構成すればよい。
【符号の説明】
【００２７】
２：後輪、４：車体フレーム、１５：シート、１６：収納部、２７：可動リヤフェンダ、３０：底部、３１：底部開口、３２：ヘルメット、３３：頭頂部、３５：カバー部材
【図１】
2010235078.tif 000003
【図２】
2010235078.tif 000004
【図３】
2010235078.tif 000005
【図４】
2010235078.tif 000006